(57)【要約】【課題】  画像を連続的に撮影したときに煩雑な操作を必要とすることなく画像を撮影後に一度に確認する。【解決手段】  デジタルカメラ１０では、ステップＳ１１８でクイックビューフラグＦがゼロのときには、ステップＳ１２６〜Ｓ１３０のいずれかの処理を実行して撮影枚数を表すカウンタ値ｎに応じたクイックビュー画像データを作成してクイックビューＶＲＡＭに保存する。その後、ステップＳ１１６に戻り撮影モード別画像取込ルーチンを実行する。一方、ステップＳ１１８でクイックビューフラグＦが値１のときにはステップＳ１３４でクイックビューを表示する。したがって、画像を連続的に撮影したときには、煩雑な操作を必要とすることなく、連続的に撮影した画像を撮影後に一度に確認することができる。【選択図】        図５
2007079092.tif 000002
【特許請求の範囲】
【請求項１】
画像を撮影する撮影装置であって、
画像を表示可能な表示手段と、
画像の撮影を実行する撮影実行手段と、
前記撮影実行手段によって実行された今回の撮影が連続的な撮影か否かを判定する連続撮影判定手段と、
前記連続撮影判定手段によって今回の撮影が連続的な撮影であると判定されたときに該連続的な撮影が終了したか否かを判定する終了撮影判定手段と、
前記終了撮影判定手段によって前記連続的な撮影が終了していないと判定されたときには撮影対象となる画像を前記表示手段の画面全体に表示し、前記終了判定手段によって前記連続的な撮影が終了したと判定されたときには連続的に撮影した画像を前記表示手段に並べて再生する表示制御手段と、
を備えた撮影装置。
【請求項２】
請求項１に記載の撮影装置であって、
操作者による１回のシャッタボタン操作により１枚ずつ撮影する単写撮影モードと操作者による１回のシャッタボタン操作により複数枚を連続して撮影する連写撮影モードとを操作者が選択可能な撮影モード選択手段、
を備え、
前記連続撮影判定手段は、前記撮影モード選択手段によって連写撮影モードが選択されている場合に操作者による１回のシャッタボタン操作がなされてシャッタボタンがオンになったとき又は前記撮影モード選択手段によって単写撮影モードが選択されている場合に操作者によるシャッタボタン操作が繰り返し行われて所定時間よりも短い間隔でシャッタボタンのオンオフが繰り返されたときを連続的な撮影と判定し、
前記終了撮影判定手段は、前記撮影モード選択手段によって連写撮影モードが選択されている場合にシャッタボタンがオンからオフに切り替わったとき又は前記撮影モード選択手段によって単写撮影モードが選択されている場合に前記所定時間よりも短い間隔でシャッタボタンがオンオフされなくなったときを連続的な撮影が終了したと判定する、
撮影装置。
【請求項３】
請求項２に記載の撮影装置であって、
操作者が前記所定時間を設定する時間設定手段、
を備えた撮影装置。
【請求項４】
前記表示制御手段は、連続的に撮影した画像の数に応じた画面分割数を決定し、該決定した画面分割数の画像を前記表示手段に並べて再生する、
請求項１〜３のいずれかに記載の撮影装置。
【請求項５】
前記表示制御手段は、連続的に撮影した画像の数が予め設定した最大の画面分割数よりも多いときには連続的に撮影した画像のうち前記表示手段に表示されていない画像を操作者の操作に基づいてスクロール表示する、
請求項１〜４のいずれかに記載の撮影装置。
【請求項６】
画像を撮影する撮影装置の制御をコンピュータ・ソフトウェアによって行う撮影制御方法であって、
（ａ）今回の撮影が連続的な撮影か否かを判定するステップと、
（ｂ）前記ステップ（ａ）で今回の撮影が連続的な撮影であると判定されたときに該連続的な撮影が終了したか否かを判定するステップと、
（ｃ）前記ステップ（ｂ）で前記連続的な撮影が終了していないと判定されたときには画像を表示可能な表示手段の画面全体に撮影対象となる画像を表示し、前記ステップ（ｂ）で前記連続的な撮影が終了したと判定されたときには連続的に撮影した画像を前記表示手段に並べて再生するステップと、
を含む撮影制御方法。
【請求項７】
請求項６に記載の撮影制御方法の各ステップを１又は複数のコンピュータに実行させるための撮影制御プログラム。
【発明の詳細な説明】
【技術分野】
【０００１】
本発明は、撮影装置、撮影制御方法及びそのプログラムに関する。
【背景技術】
【０００２】
従来より、画像を撮影する撮影装置として、撮影者による１回の操作によって被写体の画像を複数枚連続して撮影する連写撮影機能を搭載したものが知られている。この撮影装置としては、連写撮影する際には、シャッターボタンが押下されるまでは被写体を連続的に捉えた複数の画像を表示画面にマルチ表示し、シャッターボタンが押下されたときにこれらの画像を一度に記憶するものが提案されている（例えば、特許文献１）。この撮影装置によれば、連写撮影時には被写体がマルチ表示されているため、連写撮影される画像の全てを撮影者が直感的に知ることができる。
【特許文献１】特開平１０−２００８４１
【発明の開示】
【発明が解決しようとする課題】
【０００３】
ところで、撮影装置の一機能として、撮影した画像がどのように撮影されたかを撮影後に確認するために、撮影した画像を撮影後に表示画面に再生する機能（以下、クイックビュー機能という）が知られている。しかしながら、上述の特許文献１の撮影装置では、連写撮影する際には被写体の画像がマルチ表示されるものの、クイックビューでの表示がどのように行われるかについては検討されていない。したがって、特許文献１の撮影装置で連写撮影した画像がどのように撮影されたかを撮影者が確認しようとすると、画像を撮影した後に撮影者が画像を再生する別個の操作を行うことが必要となり、操作が煩雑であった。また、撮影する際に表示画面に表示される被写体の画像の一つ一つはマルチ表示により小さくなっているため、撮影時に被写体の画像が見にくいという問題があった。
【０００４】
本発明は、このような課題を解決するためになされたものであり、画像を連続的に撮影したときに煩雑な操作を必要とすることなく画像を撮影後に一度に確認することができる撮影装置、撮影制御方法及びそのプログラムを提供することを目的の一つとする。また、連続的な撮影が終わるまでは、表示画面で撮影対象を確認しやすい撮影装置、撮影制御方法及びそのプログラムを提供することを目的の一つとする。
【課題を解決するための手段】
【０００５】
本発明は、上述の目的の少なくとも一部を達成するために以下の手段を採った。
【０００６】
すなわち、本発明の撮影装置は、
画像を撮影する撮影装置であって、
画像を表示可能な表示手段と、
画像の撮影を実行する撮影実行手段と、
前記撮影実行手段によって実行された今回の撮影が連続的な撮影か否かを判定する連続撮影判定手段と、
前記連続撮影判定手段によって今回の撮影が連続的な撮影であると判定されたときに該連続的な撮影が終了したか否かを判定する終了撮影判定手段と、
前記終了撮影判定手段によって前記連続的な撮影が終了していないと判定されたときには撮影対象となる画像を前記表示手段の画面全体に表示し、前記終了判定手段によって前記連続的な撮影が終了したと判定されたときには連続的に撮影した画像を前記表示手段に並べて再生する表示制御手段と、
を備えたものである。
【０００７】
この撮影装置では、今回の撮影が連続的な撮影である場合にその連続的な撮影が終了していないときには、撮影対象となる画像を表示画面全体に表示する。一方、連続的な撮影が終了したときには、連続的に撮影した画像を表示画面に並べて自動的に再生する。したがって、画像を連続的に撮影したときには、煩雑な操作を必要とすることなく、連続的に撮影した画像を撮影後に一度に確認することができる。また、連続的な撮影が終わるまでは、撮影対象となる画像が表示画面の全体に表示されるため、撮影対象を確認しやすい。
【０００８】
本発明の撮影装置は、更に、操作者による１回のシャッタボタン操作により１枚ずつ撮影する単写撮影モードと操作者による１回のシャッタボタン操作により複数枚を連続して撮影する連写撮影モードとを操作者が選択可能な撮影モード選択手段、を備え、前記連続撮影判定手段は、前記撮影モード選択手段によって連写撮影モードが選択されている場合に操作者による１回のシャッタボタン操作がなされてシャッタボタンがオンになったとき又は前記撮影モード選択手段によって単写撮影モードが選択されている場合に操作者によるシャッタボタン操作が繰り返し行われて所定時間よりも短い間隔でシャッタボタンのオンオフが繰り返されたときを連続的な撮影と判定し、前記終了撮影判定手段は、前記撮影モード選択手段によって連写撮影モードが選択されている場合にシャッタボタンがオンからオフに切り替わったとき又は前記撮影モード選択手段によって単写撮影モードが選択されている場合に前記所定時間よりも短い間隔でシャッタボタンがオンオフされなくなったときを連続的な撮影が終了したと判定するとしてもよい。こうすれば、連写撮影のときだけでなく単写撮影のときに操作者が所定時間よりも短い間隔で連続して撮影したときにも撮影した画像を一度に再生することができる。このとき、更に、操作者が前記所定時間を設定する時間設定手段を備えるとしてもよい。こうすれば、単写撮影のときに連続的な撮影とみなされる撮影間隔を操作者の好みに合わせて設定することができる。
【０００９】
本発明の撮影装置において、前記表示制御手段は、連続的に撮影した画像の数に応じた画面分割数を決定し、該決定した画面分割数の画像を前記表示手段に並べて再生するとしてもよい。このように、連続的に撮影した画像の数に応じて画面に表示する画像の数を変更することにより、連続的に撮影した複数の画像の一つ一つを大きく表示して画像を見やすくするか又は画像を小さく表示して多くの画像を表示するかを撮影した画像の数に応じて適宜選択することができる。
【００１０】
本発明の撮影装置において、前記表示制御手段は、連続的に撮影した画像の数が予め設定した最大の画面分割数よりも多いときには連続的に撮影した画像のうち前記表示手段に表示されていない画像を操作者の操作に基づいてスクロール表示するとしてもよい。撮影した画像の全部を一度に表示すると各々の画像が小さくなりすぎて見づらくなるところ、こうすれば、画像を見やすい大きさにしたまま簡単な操作で撮影した画像の全てを確認することができる。
【００１１】
本発明の撮影制御方法は、
画像を撮影する撮影装置の制御をコンピュータ・ソフトウェアによって行う撮影制御方法であって、
（ａ）今回の撮影が連続的な撮影か否かを判定するステップと、
（ｂ）前記ステップ（ａ）で今回の撮影が連続的な撮影であると判定されたときに該連続的な撮影が終了したか否かを判定するステップと、
（ｃ）前記ステップ（ｂ）で前記連続的な撮影が終了していないと判定されたときには画像を表示可能な表示手段の画面全体に撮影対象となる画像を表示し、前記ステップ（ｂ）で前記連続的な撮影が終了したと判定されたときには連続的に撮影した画像を前記表示手段に並べて再生するステップと、
を含むものである。
【００１２】
この撮影制御方法では、今回の撮影が連続的な撮影であるときにその連続的な撮影が終了していないときには、撮影対象となる画像を表示画面全体に表示する。一方、連続的な撮影が終了したときには、連続的に撮影した画像を表示画面に並べて自動的に再生する。したがって、画像が連続的に撮影されたときには、煩雑な操作を必要とすることなく、連続的に撮影した画像を撮影後に一度に確認することができる。また、連続的な撮影が終わるまでは、撮影対象となる画像が表示画面の全体に表示されるため、撮影対象を確認しやすい。なお、本発明の撮影制御方法に、上述したいずれかの撮影装置の機能を実現するステップを追加してもよい。
【００１３】
本発明の撮影制御プログラムは、１又は複数のコンピュータに、上述した撮影制御方法の各ステップを実行させるためのプログラムである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した撮影制御方法と同様の効果が得られる。
【発明を実施するための最良の形態】
【００１４】
図１は本発明の一実施形態であるデジタルカメラ１０の外観を示す斜視図、図２はデジタルカメラ１０の外観のうち背面を示す背面図、図３はデジタルカメラ１０の機能ブロックを示すブロック図である。
【００１５】
本実施形態のデジタルカメラ１０は、図１に示すように、正面には光学３倍ズームが可能なズーム機構付きレンズ２１と、点滅することによりセルフタイマーが動作中であることを表示するセルフタイマー点灯部２５とを備え、画像を撮影する撮影モードや撮影した画像を再生する再生モードなどを選択可能なモードダイヤル２３と、このモードダイヤル２３の中央に配置された電源ボタン２２と、操作者により操作されるシャッターボタン２４とを備える。また、デジタルカメラ１０は、図２に示すように、背面３０には、中央の左寄りに配置された液晶ディスプレイ３１と、その右側に配置され上下左右の方向に操作可能な４方向ボタン３２と、ズーム機能を操作するＷボタン３４ａおよびＴボタン３４ｂと、４方向ボタン３２の左上に配置されモードダイヤル２３で撮影モードが選択されているときに単写撮影モードか連写撮影モードかを選択したり連写撮影モードでの撮影間隔などを設定可能なメニューボタン３５と、４方向ボタン３２の下方左に配置され液晶ディスプレイ３１の表示のオンオフを切り替えるディスプレイボタン３８とを備える。なお、単写撮影モードとは、撮影者がシャッターボタン２４を１回押すごとに１枚ずつ画像を撮影する撮影モードであり、連写撮影モードとは、撮影者がシャッターボタン２４を押し続けているあいだ予め設定した撮影間隔で自動的に連続して撮影する撮影モードである。また、撮影した画像を液晶ディスプレイ３１に再生している際に現在液晶ディスプレイ３１に表示されている画像よりも前又は後に撮影した画像を見るときには、４方向ボタン３２の上下方向のボタンを操作することによりスクロール表示することが可能になっている。
【００１６】
デジタルカメラ１０は、機能的には図３に例示するように、中央演算処理装置としてのＣＰＵ４０ａや処理プログラムを記憶するＲＯＭ４０ｂ、一時的にデータを記憶するＲＡＭ４０ｃ、設定されたデータを不揮発的に記憶するフラッシュメモリ４０ｄなどを中心として構成されている。デジタルカメラ１０は、撮影系として、レンズや絞りなどにより構成された光学系４２や、この光学系４２により結像される光学像を光電変換して得られる電荷を受光セル毎に一定時間蓄積し受光セル毎の受光量に応じた電気信号を出力するイメージセンサ４３、このイメージセンサ４３を駆動するために必要な駆動パルスをイメージセンサ４３に出力する駆動回路としてのセンサコントローラ４４、イメージセンサ４３から出力される電気信号を量子化してディジタル信号に変換するアナログフロントエンド（ＡＦＥ）部４５、このＡＦＥ部４５から出力されたディジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すディジタル画像を出力するデジタル画像処理部４６、ディジタル画像の系列変換（離散コサイン変換やウェーブレット変換等）及びエントロピー符号化（ランレングス符号化やハフマン符号化等）を行なうことによりディジタル画像を圧縮しそれらの逆変換を施すことによりディジタル画像を伸張する圧縮伸張部４７などを備える。また、デジタルカメラ１０は、液晶ディスプレイ３１にスルー画を表示するための１画面分の画像データを格納するスルー画ＶＲＡＭ４８や液晶ディスプレイ３１にクイックビューを表示するための１画面分の画像データを格納するクイックビューＶＲＡＭ４９、スルー画ＶＲＡＭ４８及びクイックビューＶＲＡＭ４９に格納されたディジタル画像に基づいて液晶ディスプレイ３１を駆動するための表示回路を有するディスプレイコントローラ５０、モードダイヤル２３や４方向ボタン３２，各種ボタン２４，３４，３５，３８の入力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラ５６なども備えている。
【００１７】
本実施形態では、ＲＯＭ４０ｂには複数のクイックビューテンプレートが記憶されている。ここで、クイックビューテンプレートとは、撮影した画像を液晶ディスプレイ３１に並べて再生するときに画像が予め定められた枚数だけ配置されるよう作成された枠組みであり、本実施形態では、撮影枚数が２〜４枚のときに用いる４分割クイックビューテンプレートと撮影枚数が５枚以上のときに用いる９分割クイックビューテンプレートとが予めＲＯＭ４０ｂに記憶されている。図４はクイックビューテンプレートの説明図である。図４のうち（ａ）は４分割クイックビューテンプレート６０を示し、（ｂ）は９分割クイックビューテンプレート６１を示す。このうち４分割クイックビューテンプレート６０は、上段と下段とに同じ大きさの２つの枠がそれぞれ等間隔に配置されており、９分割クイックビューテンプレート６１は、上段と中段と下段とに同じ大きさの３つの枠がそれぞれ等間隔に配置されている。
【００１８】
次に、こうして構成された本実施形態のデジタルカメラ１０の機能、特に、撮影した画像を液晶ディスプレイ３１に表示する際の動作について説明する。図５は、画像表示処理ルーチンのフローチャートである。このルーチンは、モードダイヤル２３で撮影モードが選択されたときにＣＰＵ４０ａによって実行される。
【００１９】
この画像表示処理ルーチンが開始されると、ＣＰＵ４０ａは、まず、撮影枚数を表すカウンタ値ｎをゼロにリセットする（ステップＳ１０２）。ここで、撮影枚数を表すカウンタ値ｎは、本ルーチンを実行中に撮影した画像の枚数を示す。次に、撮影対象となる画像をビデオスルーとして表示するスルー画を液晶ディスプレイ３１に表示する（ステップＳ１０４）。ここで、スルー画を液晶ディスプレイ３１に表示するには次のようにして行う。すなわち、まず、撮影対象の画像を光学系４２が結像し、結像により得られた光学像をイメージセンサ４３によってデジタルデータとしての画像データに変換する。続いて、得られた画像データをスルー画ＶＲＡＭ４８に記憶し、該画像データに基づいてディスプレイコントローラ５０が画像を液晶ディスプレイ３１に表示する。この一連の動作を繰り返すことにより、撮影対象となる画像がビデオスルーとして液晶ディスプレイ３１に逐次表示される。
【００２０】
続いて、ＣＰＵ４０ａは、シャッタボタン２４がオフからオンに切り替わったか否かを判定し（ステップＳ１０６）、シャッタボタン２４がオフのままのときにはそのまま待機する。一方、シャッタボタン２４がオフからオンに切り替わったときには、撮影枚数を表すカウンタ値ｎを値１だけカウントアップする（ステップＳ１０８）。ここでは、撮影枚数を示すカウンタ値ｎはゼロから値１となる。続いて、現在光学系４２が捉えている画像を結像して画像データとしてＲＡＭ４０ｃに取り込み（ステップＳ１１０）、取り込んだ画像データに対しファイル属性として一連の連続的な撮影であることを識別する連続撮影ＩＤと撮影枚数を示すカウンタ値ｎとを含む保存用画像ファイルを作成してフラッシュメモリ４０ｄに保存する（ステップＳ１１２）。そして、この保存した１枚分の画像データを元に、液晶ディスプレイ３１の画面全体にクイックビューを表示するための全画面表示用のクイックビュー画像データを作成してクイックビューＶＲＡＭ４９に保存する（ステップＳ１１４）。その後、撮影モード別画像取込ルーチンを実行する（ステップＳ１１６）。
【００２１】
この撮影モード別画像取込ルーチンを図６に基づいて説明する。ＣＰＵ４０ａは、まず、メニューボタン３５で設定されている撮影モードが連写撮影モードか単写撮影モードかを判定し（ステップＳ２０２）、連写撮影モードのときには、シャッタボタン２４が押されたまま維持されているか否かを判定する（ステップＳ２０４）。そして、シャッタボタン２４が押されたまま維持されているときには、画像を取り込むタイミングか否かを判定する（ステップＳ２０６）。ここで、画像を取り込むタイミングか否かは、操作者がメニューボタン３５により予め設定した撮影間隔ｔに基づいて判定する。つまり、前回画像を取り込んでから撮影間隔ｔが経過したときには画像を取り込むタイミングと判定し、前回画像を取り込んでから撮影間隔ｔが経過していないときには画像を取り込むタイミングでないと判定する。そして、ステップＳ２０６で画像を取り込むタイミングでないと判定されたときにはステップＳ２０４に戻る。一方、ステップＳ２０６で画像を取り込むタイミングと判定されたときには、現在光学系４２が捉えている画像を結像して画像データとしてＲＡＭ４０ｃに取り込み（ステップＳ２１２）、クイックビューフラグＦをゼロにリセットし（ステップＳ２１４）、このルーチンを終了する。ここで、クイックビューフラグＦとは、クイックビューを示すか否かを示すフラグであり、ゼロのときにはクイックビューを表示しないことを示し、値１のときにはクイックビューを表示することを示す。一方、ステップＳ２０４でシャッタボタン２４がオンのまま維持されていないときには、クイックビューフラグＦを値１にセットし（ステップＳ２１０）、このルーチンを終了する。
【００２２】
さて、ステップＳ２０２で単写撮影モードのときには、前回画像を取り込んでから所定時間Ｔが経過するまでの間にシャッターボタン２４がオンされたか否かを判定する（ステップＳ２０８）。ここで、所定時間Ｔは、画像が連続的に撮影されたとみなされる撮影間隔であり、ＲＯＭ４０ｂに予め記憶されている。そして、前回画像を取り込んでから所定時間Ｔが経過するまでの間にシャッターボタン２４がオンされていないときにはクイックビューフラグＦを値１にセットし（ステップＳ２１０）、このルーチンを終了する。一方、ステップＳ２０８で前回画像を取り込んでから所定時間Ｔが経過するまでの間にシャッターボタン２４がオンされたときには、現在光学系４２が捉えている画像を結像して画像データとしてＲＡＭ４０ｃに取り込み（ステップＳ２１２）、クイックビューフラグＦをゼロにリセットし（ステップＳ２１４）、このルーチンを終了する。
【００２３】
図５の画像表示処理ルーチンに戻り、ステップＳ１１６のあと、ＣＰＵ４０ａは、クイックビューフラグＦがゼロか値１かを判定し（ステップＳ１１８）、クイックビューフラグＦがゼロのときには、撮影枚数を表すカウンタ値ｎを値１だけカウントアップする（ステップＳ１２０）。続いて、今回取り込んだ画像の画像データに対しファイル属性として連続撮影ＩＤと撮影枚数を表すカウンタ値ｎとを含む保存用画像ファイルを作成しフラッシュメモリ４０ｄに保存する（ステップＳ１２２）。その後、ＣＰＵ４０ａは、撮影枚数を表すカウンタ値ｎの値を判定する（ステップＳ１２４）。そして、撮影枚数を表すカウンタ値ｎが値２〜４のときは、今回取り込まれた画像データと前回までに取り込まれた画像データとをフラッシュメモリ４０ｄから読み出し、該読み出した枚数分の画像データを元に４分割表示用のクイックビュー画像データを作成してクイックビューＶＲＡＭ４９に保存する（ステップＳ１２６）。ここで、４分割表示用のクイックビュー画像データは次のように作成する。すなわち、まず、ＲＯＭ４０ｃに記憶されたクイックビューテンプレートの中から４分割クイックビューテンプレート６０を選択する。続いて、同じ連続撮影ＩＤを含む保存用画像ファイルの画像データの全てについて、この４分割クイックビューテンプレート６０の枠内に画像の全体が収まるよう４分割用表示画像データを作成し、該作成した４分割用表示画像データを４分割クイックビューテンプレート６０の枠にはめ込む。この際、保存用画像ファイルに含まれる撮影枚数を表すカウンタ値ｎと枠の番号とが一致するようにはめ込む。具体例を図４に基づいて説明すると、現在の撮影枚数を表すカウンタ値ｎが値３であれば、１枚目の画像（ファイル属性としてのカウンタ値が値１の画像）を１番枠６０ａにはめ込み、２枚目の画像を２番枠６０ｂにはめ込み、３枚目の画像を３番枠６０ｃにはめ込む。これにより、４分割画面のクイックビュー画像データが作成される。
【００２４】
一方、ステップＳ１２２で撮影枚数を表すカウンタ値ｎが値５〜９のときには、ＣＰＵ４０ａは、今回取り込まれた画像データと前回までに取り込まれた画像データとをフラッシュメモリ４０ｄから読み出し、該読み出した枚数分の画像データを元に９分割表示用のクイックビュー画像データを作成してクイックビューＶＲＡＭ４９に保存する（ステップＳ１２８）。ここで、９分割表示用のクイックビュー画像データは次のように作成する。すなわち、まず、ＲＯＭ４０ｃに記憶されたクイックビューテンプレートの中から９分割クイックビューテンプレート６１を選択する。続いて、同じ連続撮影ＩＤを含む保存用画像ファイルの画像データの全てについて、この９分割クイックビューテンプレート６１の枠内に画像の全体が収まるよう９分割用表示画像データを作成し、該作成した９分割用表示画像データを、ファイル属性としてのカウンタ値ｎと枠の番号とが一致するようにはめ込む。
【００２５】
一方、ステップＳ１２２で撮影枚数を表すカウンタ値ｎが値１０以上のときには、撮影した全ての画像をクイックビューテンプレートに一度に表示することができない。この場合、まず、同じ連続撮影ＩＤを含む保存用画像ファイルの画像データのうちファイル属性としてのカウンタ値ｎが大きい方から９枚の画像について、９分割クイックビューテンプレート６１を用いて９分割画面のクイックビュー画像データを作成する（ステップＳ１３０）。このとき、最新の画像が９番枠６１ｃ（図４（ｂ）参照）に配置されるよう、９枚の画像を１番枠６１ａから撮影順にはめ込む。例えば、撮影枚数が１３枚とすると、このうち５枚目に撮影した画像（ファイル属性としてのカウンタ値ｎが値５の画像）を１番枠６１ａにはめ込み、６枚目以降の画像を１番枠６１ａの隣から撮影順にはめ込んでいき、１３枚目の画像を９番枠６１ｃにはめ込む。また、９分割画面のクイックビュー画像データの作成に用いなかった１〜４枚目の画像については、９分割クイックビューテンプレート６１の枠内に画像の全体が収まるよう９分割用表示画像データを作成し、ＲＡＭ４０ｃに保存しておく。
【００２６】
ステップＳ１２６〜Ｓ１３０のいずれかでクイックビュー画像データを作成してクイックビューＶＲＡＭ４９に保存した後は、ＣＰＵ４０ａは、ステップＳ１１６に戻り、ステップＳ１１６，Ｓ１１８の処理を実行する。そして、ステップＳ１１８でクイックビューフラグＦが値１のときには、クイックビューＶＲＡＭ４９に保存されているクイックビュー画像データに基づいて液晶ディスプレイ３１にクイックビューを表示するようディスプレイコントローラ５０に指令する（ステップＳ１３２）。これにより、液晶ディスプレイ３１の表示は、スルー画からクイックビューに切り替わる。その後、クイックビューを表示する所定の表示時間が経過してタイムアウトになったか否かを判定し（ステップＳ１３４）、タイムアウトになっていないときにはそのまま待機してクイックビューの表示を継続する。一方、タイムアウトになったときには、クイックビューの表示を終了すると共にクイックビューフラグＦをゼロにリセットして（ステップＳ１３６）、本ルーチンを終了する。なお、本ルーチンを終了した後は、モードダイヤル２３で撮影モードが選択されたままのときには再度本ルーチンを実行し、モードダイヤル２３で別のモードが選択されたときには選択されたモードを実行する別のルーチンに移行する。
【００２７】
液晶ディスプレイ３１にクイックビューが表示されたときの具体例について説明する。図７はクイックビューが表示されたときの様子を示す説明図である。このうち、（ａ）は撮影枚数が３枚のときのクイックビューを示し、（ｂ）は撮影枚数が５枚のときのクイックビューを示す。図７からも分かるように、４分割で複数枚の画像を表示する場合には（図７（ａ）参照）、９分割のとき（図７（ｂ）参照）に比べ、それぞれの画像が大きく表示される。一方、９分割で複数枚の画像を表示する場合には（図７（ｂ）参照）、４分割のとき（図７（ａ）参照）に比べ、多くの画像が液晶ディスプレイ３１に表示される。なお、撮影画像が１枚のときには、１枚分の画像が液晶ディスプレイ３１の全体に大きく表示される。また、撮影した画像が１０枚以上のときには、最新の９枚の画像を液晶ディスプレイ３１に表示する。このとき、液晶ディスプレイ３１に表示されていない残りの画像については、ＲＡＭ４０ｃに９分割用表示画像データとして記憶してある。そして、操作者により４方向ボタン３２が上方向に１回オンされるごとに、ＣＰＵ４０ａは現在表示中のクイックビューのうち７〜９番枠（下段）にはめ込まれている画像をＲＡＭ４０ｃに移行すると共に、４番枠〜６番枠（中段）にはめ込まれている画像を７〜９番枠にはめ込み、１〜３番枠（上段）にはめ込まれている画像を４〜６番枠にはめ込み、ＲＡＭ４０ｃに記憶されている９分割用表示画像データのうち新しいものから３つ（３つ未満のときはすべて）を読み出してそれを新しいものから古いものの順に３番枠から１番枠にはめ込んで新たなクイックビュー画像データを作成する。そして、その９分割表示用のクイックビュー画像データに基づいてクイックビューを表示する。また、操作者により４方向ボタン３２が上方向に少なくとも１回オンされた後は、４方向ボタン３２が下方向に１回オンされるごとに、ＣＰＵ４０ａは現在表示中のクイックビューのうち１〜３番枠（上段）にはめ込まれている画像をＲＡＭ４０ｃに移行すると共に、４番枠〜６番枠（中段）にはめ込まれている画像を１〜３番枠にはめ込み、７〜９番枠（下段）にはめ込まれている画像を４〜６番枠にはめ込み、ＲＡＭ４０ｃに記憶されている９分割用表示画像データのうち９番枠にはめ込まれた画像の次に撮影されたものから３つ（３つ未満のときはすべて）を読み出してそれを新しいものから古いものの順に７番枠から９番枠にはめ込んで新たなクイックビュー画像データを作成する。そして、その９分割表示用のクイックビュー画像データに基づいてクイックビューを表示する。このように操作者による４方向ボタン３２の上下方向の操作に伴って、クイックビューがスクロール表示される。図８はスクロール表示の説明図である。なお、図８では１３枚の画像が撮影されたとする。図８のうち（ａ）はクイックビューとして最初に液晶ディスプレイ３１に表示される表示画面であり、（ｂ）は表示画面が（ａ）のときに４方向ボタン３２の上方向のボタンを１回オンしたときに液晶ディスプレイ３１に表示される表示画面であり、（ｃ）は表示画面が（ａ）のときに４方向ボタン３２の上方向のボタンを２回オンしたときに液晶ディスプレイ３１に表示される表示画面である。また、図８において、表示画面が（ｂ）のときに４方向ボタン３２の下方向のボタンを１回オンすると表示画面が（ａ）に切り替わり、表示画面が（ｃ）のときに４方向ボタン３２の下方向のボタンを２回オンすると表示画面が（ａ）に切り替わる。このように、４方向ボタン３２を上方向又は下方向に操作することにより、クイックビューとして最初に表示されていなかった画像を確認することができる。
【００２８】
ここで、本実施形態の構成要素と本発明の構成要素との対応関係を明らかにする。本実施形態のＣＰＵ４０ａ及びディスプレイコントローラ５０が本発明の表示制御手段に相当し、ＣＰＵ４０ａが連続撮影判定手段、終了撮影判定手段に相当する。また、光学系４２が撮影実行手段に相当し、液晶ディスプレイ３１が表示手段に相当し、メニューボタン３５が撮影モード選択手段に相当する。なお、本実施形態では、デジタルカメラ１０の動作を説明することにより本発明の撮影制御方法の一例も明らかにしている。
【００２９】
以上詳述した本実施形態のデジタルカメラ１０によれば、連続的な撮影が続行されているとき、つまり、メニューボタン３５で連写撮影モードが選択されている場合にシャッタボタン２４が押されたまま維持されているときや、単写撮影モードが選択されている場合に操作者がシャッターボタン２４を所定時間Ｔよりも短い間隔で繰り返しオンしているときには、撮影対象となる画像をスルー画として液晶ディスプレイ３１の画面全体に表示する。一方、このような連続的な撮影が終了したときには、連続的に撮影した画像を液晶ディスプレイ３１に並べて４分割又は９分割表示画面として自動的にクイックビュー表示する。したがって、画像を連続的に撮影したときには、煩雑な操作を必要とすることなく、連続的に撮影した画像を撮影後に一度に確認することができる。また、連続的な撮影が終わるまでは、それぞれの撮影の前に撮影対象となる画像が液晶ディスプレイ３１全体に表示されるため、撮影対象を確認しやすい。
【００３０】
また、クイックビューを表示する際は、撮影枚数を表すカウンタ値ｎに応じて４分割で表示するか又は９分割で表示するかを決定するため、連続的に撮影した複数の画像の一つ一つを大きく表示して画像を見やすくするか又は画像を小さく表示して多くの画像を表示するかを撮影した画像の数に応じて適宜選択することができる。
【００３１】
更に、画像が１０枚以上撮影されたときには、連続的に撮影した画像のうち液晶ディスプレイ３１に表示されていない画像は、操作者が４方向ボタン３２を上方向又は下方向に操作したときにスクロール表示されるため、画像を見やすい大きさにしたまま簡単な操作で撮影した画像の全てを確認することができる。
【００３２】
なお、本発明は上述した実施形態に何ら限定されることはなく、本発明の技術的範囲に属する限り種々の態様で実施し得ることはいうまでもない。
【００３３】
例えば、上述した実施形態の図４の画像表示処理ルーチンのステップＳ１２６〜Ｓ１３０では、画像を取り込むごとに撮影枚数を表すカウンタ値ｎに応じてクイックビューテンプレートを選択し該選択したクイックビューテンプレートに同じ連続撮影ＩＤが付された複数の画像をはめ込んだが、前回までに取り込んだ画像がはめ込まれたクイックビューテンプレートにステップＳ２１２で取り込んだ画像をはめ込むとしてもよい。この場合にも、上述した実施形態と同様の効果が得られる。
【００３４】
上述した実施形態では、ステップＳ１１８でクイックビューフラグＦがゼロのときにはステップＳ１２０〜Ｓ１３０の処理を実行し、ステップＳ１１８でクイックビューフラグＦが値１になった後ステップＳ１３２〜Ｓ１３６の処理を実行したが、以下のような処理を実行してもよい。つまり、ステップＳ１１８でクイックビューフラグＦがゼロのときにはステップＳ１２０，Ｓ１２２の処理を実行した後ステップＳ１１６に戻りステップＳ１１６〜Ｓ１１８の処理を実行する。そして、ステップＳ１１８でクイックビューフラグＦが値１になったときにステップＳ１２４〜Ｓ１３０の処理を実行し、その後ステップＳ１３２〜Ｓ１３６の処理を実行する。すなわち、連続的な撮影が終了したときに撮影枚数を表すカウンタ値ｎに応じてクイックビューテンプレートを選択し、該選択したクイックビューテンプレートに連続的に撮影した全ての画像を一度に取り込んでクイックビュー画像データを作成する。この場合にも、上述した実施形態と同様の効果が得られる。
【００３５】
上述した実施形態では、ステップＳ１２６〜Ｓ１３０のいずれかの処理を実行した後直ちにステップＳ１１６に戻ったが、ステップＳ１２６〜Ｓ１３０のいずれかの処理を実行した後今回取り込んだ画像について液晶ディスプレイ３１の画面全体に一瞬クイックビューを表示し、その後液晶ディスプレイ３１の表示をスルー画に戻した後ステップＳ１１６に戻るとしてもよい。こうすれば、撮影ごとに今回撮影した画像がクイックビューとして液晶ディスプレイ３１に表示されるため、撮影の合間に今回撮影した画像を確認することができる。
【００３６】
上述した実施形態において、クイックビューを表示するか否かを選択するクイックビューボタンを設け、このクイックビューボタンがオンされたときのみクイックビューを表示するとしてもよい。こうすれば、クイックビューを表示するか否かは、クイックビューボタンによって撮影者が適宜選択することができる。
【００３７】
上述した実施形態において、ディスプレイボタン３８がオンされているときだけスルー画を表示するとしてもよい。こうすれば、スルー画を表示するか否かは、ディスプレイボタン３８の操作によって操作者が適宜選択することができる。
【００３８】
上述した実施形態では、クイックビューを表示する際、画面分割数を４分割又は９分割としたが、特にこれに限定されるものではなく、画面分割数はいくつであってもよい。また、表示画像データを作成する際、クイックビューテンプレートを用いて該画像データを作成したが、特にこれに限定されるものではなく、例えば、テンプレートを用いることなく画像データを順に並べて表示画像データを作成するとしてもよい。
【００３９】
上述した実施形態において、単写撮影のときに連続的な撮影とみなされる撮影間隔である所定時間Ｔは、例えば、操作者がメニューボタン３５で単写撮影モードを設定するときに液晶ディスプレイ３１に表示される画面と同じ画面上で操作者がメニューボタン３５で設定可能としてもよい。こうすれば、単写撮影のときに連続的な撮影とみなされる撮影間隔を撮影者の好みに合わせて設定することができる。なお、この場合、メニューボタン３５が本発明の時間設定手段に相当する。
【図面の簡単な説明】
【００４０】
【図１】デジタルカメラ１０の外観を示す斜視図。
【図２】デジタルカメラ１０の外観のうち背面を示す背面図。
【図３】デジタルカメラ１０の機能ブロックを示すブロック図。
【図４】クイックビューテンプレートの説明図。
【図５】画像表示処理ルーチンのフローチャート。
【図６】撮影モード別画像取込ルーチンのフローチャート。
【図７】クイックビューの説明図。
【図８】スクロール表示の説明図。
【符号の説明】
【００４１】
１０  デジタルカメラ、２１  ズーム機構付きレンズ、２２  電源ボタン、２３  モードダイヤル、２４  シャッターボタン、２５  セルフタイマー点灯部、３０  背面、３１  液晶ディスプレイ、３２  ４方向ボタン、３４ａ  Ｗボタン、３４ｂ  Ｔボタン、３５  メニューボタン、３８  ディスプレイボタン、４０ａ  ＣＰＵ、４０ｂ  ＲＯＭ、４０ｃ  ＲＡＭ、４０ｄ  フラッシュメモリ、４２  光学系、４３  イメージセンサ、４４  センサコントローラ、４５  アナログフロントエンド（ＡＦＥ）部、４６  デジタル画像処理部、４７  圧縮伸張部、４８  スルー画ＶＲＡＭ、４９  クイックビューＶＲＡＭ、５０  ディスプレイコントローラ、５２  入出力インタフェース、５３  記憶媒体、５４  ＵＳＢホストコントローラ、５５  ＵＳＢ接続端子、５６  ＵＳＢデバイスコントローラ。
【図１】
2007079092.tif 000003
【図２】
2007079092.tif 000004
【図３】
2007079092.tif 000005
【図４】
2007079092.tif 000006
【図５】
2007079092.tif 000007
【図６】
2007079092.tif 000008
【図８】
2007079092.tif 000009
【図７】
2007079092.tif 000010